(57)【要約】【課題】  スピーカとイヤホンを兼用する音声出力部材は、スピーカとイヤホンのいずれかの特性を優先するよう設計されるため、再生音声の音質に改善の余地があった。【解決手段】  端末筐体に取り付けおよび取り外し可能に設けられ、音声情報を出力する音声出力部材と、音声出力部材が端末筐体に取り付けられているか判定する取り付け状態判定部と、取り付け状態判定部による判定結果に基づいて、音声出力部材が出力する前記音声データの周波数特性を調整するように制御部と設けた。【選択図】  図２
2005318267.tif 000002
【特許請求の範囲】
【請求項１】
端末筐体に取り付けおよび取り外し可能に設けられ、音声情報を出力する音声出力部材と、
この音声出力部材が端末筐体に取り付けられているか、あるいは端末筐体から取り外されているか判定する取り付け状態判定部と、
前記音声出力部材から出力する音声データを含む信号を受信する通信部と、
この通信部が受信した信号に含まれる音声データ、および予め登録された音声データを記憶する記憶部と、
少なくとも前記通信部が受信した信号に含まれる音声データを前記音声出力部材から出力する前に、所定周波数帯における前記音声データの音圧を調整する出力音声調整部と、
前記取り付け状態判定部による判定結果に基づいて、前記音声出力部材が出力する前記音声データの周波数特性を調整するように前記出力音声調整部を制御する制御部とを設けたことを特徴とする電子機器。
【請求項２】
音声出力部材は、利用者の耳の近傍より利用者の耳に直接音声データを出力するイヤホンと、利用者の耳から比較的離れた位置より音声データを出力するスピーカを兼用することを特徴とする請求項１に記載の電子機器。
【請求項３】
取り付け状態判定部は、音声出力部材に設けられた磁力発生部と、前記音声出力部材が筐体に取り付けられる取り付け位置の近傍に設けられた磁力検出部を含むことを特徴とする請求項１に記載の電子機器。
【請求項４】
音声データを出力するスピーカと、端末筐体外部の音声情報が入力されるマイクが端末筐体に内蔵されており、制御部は、前記取り付け状態判定部が音声出力部材が端末筐体から取り外されているとき、前記スピーカから音声データが出力されないように制御することを特徴とする請求項１に記載の電子機器。
【請求項５】
制御部は、通信部が受信した信号に含まれる音声データをスピーカないし音声出力部材から出力する場合に、音声情報を取得するようにマイクを制御することを特徴とする請求項４に記載の電子機器。
【請求項６】
制御部は、スピーカないし音声出力部材から出力する音声データを記憶部から読み出して再生する場合に、音声情報を取得しないようにマイクを制御することを特徴とする請求項４に記載の電子機器。
【請求項７】
制御部は、取り付け状態判定部が音声出力部材が端末筐体から取り外されている場合、前記音声出力部材をスピーカとして使用するよう設定されているか設定状態を判定することを特徴とする請求項２に記載の電子機器。
【請求項８】
音声出力部材は、端末筐体外部の音声情報を取得するマイクが設けられており、制御部は、端末筐体に内蔵されたマイクと音声出力部材に設けられたマイクを、取り付け状態判定部の判定結果に応じて選択的に使用することを特徴とする請求項５に記載の電子機器。
【発明の詳細な説明】
【技術分野】
【０００１】
本発明は、スピーカとイヤホンを兼用する音声出力部材を備えた電子機器に関するものであり、特にこの音声出力部材から着信信号より得られた音声信号や内蔵された音源より再生された音声信号を出力する携帯電話機に関する。
【背景技術】
【０００２】
従来、音声情報を出力可能な電子機器では、出力された音声情報を出力するスピーカが設けられていた。また、スピーカを利用せずに音声情報を得たい場合には、耳に取り付けて音声情報を得るイヤホンをコネクタに接続して利用することが一般的である。スピーカとイヤホンを兼用する構成を用いた電子機器の一例として、特許文献１には、携帯電話機のスピーカが着脱自在に筐体の受話部に設けられており、スピーカを筐体から外したときにはイヤホンとして使用するため、スピーカの音量をイヤホン使用状態に適するように音量を切り替える電子機器が開示されている。
【０００３】
【特許文献１】特開２００２−１２５０３２号公報
【発明の開示】
【発明が解決しようとする課題】
【０００４】
ところで、上記特許文献１に開示の電子機器は、スピーカとイヤホンの兼用とその使用状態における音量制御を記載している。しかし、単に音量を切り替えただけでは、スピーカないしイヤホンとして適した音声を再生することはできず、周波数特性をも制御する必要がある。具体的には、スピーカとして用いる場合、スピーカの最低共振周波数から約20kHzまでの周波数帯域において安定した音圧を実現するとともに、出力する音の種類によってはある特定の周波数帯域の音圧を強調する必要がある。一方、イヤホンとして用いる場合、人の外耳道等の特性を考慮して約20Hzから安定した音圧を実現する必要がある。
【課題を解決するための手段】
【０００５】
本発明にかかる電子機器は、端末筐体に取り付けおよび取り外し可能に設けられ、音声情報を出力する音声出力部材と、この音声出力部材が端末筐体に取り付けられているか、あるいは端末筐体から取り外されているか判定する取り付け状態判定部と、音声出力部材から出力する音声データを含む信号を受信する通信部と、この通信部が受信した信号に含まれる音声データ、および予め登録された音声データを記憶する記憶部と、少なくとも前記通信部が受信した信号に含まれる音声データを前記音声出力部材から出力する前に、所定周波数帯における前記音声データの音圧を調整する出力音声調整部と、前記取り付け状態判定部による判定結果に基づいて、前記音声出力部材が出力する前記音声データの周波数特性を調整するように前記出力音声調整部を制御する制御部とを設けたものである。
【発明の効果】
【０００６】
本発明にかかる電子機器は、端末筐体に取り付けおよび取り外し可能に設けられ、音声情報を出力する音声出力部材と、この音声出力部材が端末筐体に取り付けられているか、あるいは端末筐体から取り外されているか判定する取り付け状態判定部と、音声出力部材から出力する音声データを含む信号を受信する通信部と、この通信部が受信した信号に含まれる音声データ、および予め登録された音声データを記憶する記憶部と、少なくとも前記通信部が受信した信号に含まれる音声データを前記音声出力部材から出力する前に、所定周波数帯における前記音声データの音圧を調整する出力音声調整部と、前記取り付け状態判定部による判定結果に基づいて、前記音声出力部材が出力する前記音声データの周波数特性を調整するように前記出力音声調整部を制御する制御部とを設けたので、音声出力部材をスピーカないしイヤホンのいずれで用いるにせよ、使用者に最適な音を提供するとともに、イヤホン使用時の利便性向上を実現することができるという効果を奏する。
【発明を実施するための最良の形態】
【０００７】
実施の形態１．
図１は本発明の実施の形態１に係る電子機器の一例である携帯電話機の外観を示す外観図である。図１（ａ）には、携帯電話機本体１０１に、スピーカとイヤホンを兼用する音声出力部材１０２が取り付けられた状態の携帯電話機が図示されている。図１(ａ)のように、音声出力部材１０２が携帯電話機本体１０１に取り付けられている状態では、音声出力部材１０２はスピーカとして機能する。一方、図１(ｂ)には、携帯電話機本体１０１から音声出力部材１０２が引き出された状態の携帯電話機が図示されている。図１(ｂ)のように、音声出力部材１０２が携帯電話機本体１０１から引き出された状態では、音声出力部材１０２はイヤホンとして機能する。この音声出力部材１０２は信号線１０３を介して携帯電話機本体１０１と接続されている。この信号線１０３上にマイク１０４が設けられている。音声出力部材１０２が携帯電話機本体１０１に取り付けられているときには、信号線１０３は収納部１０５に収納されている。
【０００８】
図２は、本発明の実施の形態１に係る携帯電話機の構成を示すブロック図である。図２において、図１と同一の符号は同一または相当部分を示すので、説明は省略する。アンテナ２０１により受信された受信信号は無線部２０２により復調されて、ベースバンド部２０９に入力される。ベースバンド部２０９は、無線部２０２により復調された復調信号に音声復号化等の処理を行う。そして、ベースバンド部２０９から出力された信号は、Ｄ／Ａコンバータ２１４においてデジタル信号からアナログ信号に変換される。Ｄ／Ａコンバータ２１４においてＤ／Ａ変換されたアナログ信号は、セレクタ２１５を介して利得調整回路２１６に入力されて、受話音声の音量調整がなされた後、受話部であるスピーカ２１７に所定音量で出力される。セレクタ２１５は、スピーカ２１７に出力する音声情報を、ベースバンド部２０９からの音声信号と後述する音源部２１８からの音源信号、外部メモリからの音声信号のいずれかから選択して出力したり、またはこれらの各種音声を合成する。逆に、マイク２１３から入力された利用者の音声（話者音声）はセレクタ２１２を介して利得調整回路２１１に入力され、マイク２１３から入力された話者音声の音量調整がなされる。そして、音量調整された話者音声信号は、Ａ／Ｄコンバータ２１０においてアナログ信号からデジタル信号に変換されてベースバンド部２０９に入力される。ベースバンド部２０９は、デジタル信号に符号化などの処理を施して無線部２０２に出力する。無線部２０２はベースバンド部２０９から出力されたベースバンド信号を変調処理したあと、アンテナ２０１を介して基地局に送信する。
【０００９】
制御部２０６は、携帯電話機の送受信機能や内蔵メモリ２０４や外部メモリ２０７に記憶されたアプリケーションソフトによる処理など携帯電話機全般の機能を制御する。例えば、上記にて説明した携帯電話機能や送受信機能に関しては、無線部に信号が着信したことを検出して、着信報知画面を画面２０５に表示したり、キー２０３を含む操作系からの操作によりマイク２０３の感度、すなわち話者音声の音量の調整や、スピーカ２１７の音量調整などを行うことができる。音源部２１８は、内蔵メモリ２０４や外部メモリ２０７に記憶された音源情報に基づいて、着信メロディや楽曲を再生して、スピーカ２１７や図１に示す音声出力部材１０２から出力する。音源部２１８から出力されたデジタル音源データはＤ／Ａコンバータ２１９によりアナログ音源データに変換されてセレクタ２２０に入力される。セレクタ２２０は、音声出力部材１０２に出力する音声情報を、ベースバンド部２０９からの音声信号、後述する音源部２１８からの音源信号、外部メモリからの音声信号のいずれかから選択して出力したり、またはこれらの各種音声を合成する。周波数特性調整回路２２１、利得調整回路２２２は制御部２０６からの制御信号に応じて、音声出力部材１０２から出力する音声信号の周波数特性を変更したり音量を調整する。増幅回路２２３は、音声出力部材１０２から出力される音声信号を増幅するものである。状態検出装置２０８は、音声出力部材１０２が携帯電話機本体に取り付けられているか、あるいは取り外されているかを検出するものであり、この検出結果に基づいて、制御部２０９は周波数特性調整回路２２１と利得調整回路２２２を制御する。
【００１０】
周波数特性調整回路２２１は、音声出力部材１０２がスピーカとして用いられる場合とイヤホンとして用いられる場合で異なる周波数特性調整を行う。スピーカとイヤホンを兼ねる音声出力部材１０２は、スピーカとイヤホンの特性を同時に実現可能に設計されることが好ましい。しかし、スピーカおよびイヤホンとして充分な特性を併せ持つ音声出力部材の設計は困難であり、スピーカないしイヤホンのいずれの機能も不充分になってしまう懸念もある。そこで、本発明に係る携帯電話機は、音声出力部材１０２をスピーカとして用いる場合とイヤホンとして用いる場合で、電気信号等の調整により周波数特性を補正することとした。以下説明する周波数特性調整回路２２１は、アナログ信号に対して周波数特性の調整を行う。図３および図４にその周波数特性の調整例を示す。図３はスピーカ周波数特性の調整例を示す説明図である。図３（ａ）の初期性能において、低域共振周波数(ｆ０)以上の周波数特性を調整して図３（ｃ）のように低域共振周波数ｆ０以上の平均音圧を上げる場合、周波数特性調整回路２２１は、音声出力部材１０２に出力する電気信号（音声信号）を図３（ｂ）のように、低域共振周波数Ｆ０以下の周波数帯はゲイン０ｄＢで調整し、低域共振周波数Ｆ０以上の周波数帯のゲインを調整する。その結果、図３（ｃ）のように、低域共振周波数ｆ０以上の平均音圧が持ち上げられた特性に調整される。
【００１１】
一方、図４はイヤホン周波数特性の調整例を示す説明図である。スピーカとしての特性を優先するように設計された音声出力部材の場合、図４（ａ）に示すように低音域から中音域にかけて、ほぼ１ｋＨｚ近傍にピークができる。しかし、低音域から中音域にかけてピークが生じた場合、利用者にとって耳障りな音が強調されるため、イヤホンとしての利用には適さない。そこで、図４（ｃ）に示すように、低音域から中音域にピークを有する波形を、前記ピークを消すとともに低音域から高音域にかけてなだらかに音圧が下がっていくように調整する必要がある。そこで、ピークを有する周波数特性を平坦化するため、周波数特性調整回路２２１は、音声出力部材１０２に出力する電気信号を図４（ｂ）に示すように、ピーク付近の周波数帯はゲイン０ｄＢで調整し、低音域と高音域の周波数帯のゲインを調整する。その結果、図４（ｃ）のように低音域から中音域にかけて生じたピークが除去され、波形全体が低音域から高音域にかけてなだらかに低下する特性が得られる。
【００１２】
利得調整回路２２２でも、図３（ａ）や図４（ａ）の音圧を調整することは可能である。しかし、利得調整回路２２２でゲインを調整した場合、例えば、図３（ａ）の波形全体が持ち上げられてしまう。低域共振周波数ｆ０以下の音圧が上昇すると、スピーカの振動板の振幅が大きくなりスピーカが破損するなどの問題が生じる可能性もあるので、所定の周波数、例えば低域共振周波数ｆ０以下の音圧は調整しないことが好ましいが、利得調整回路ではかかる調整は困難である。そこで、本願発明は、周波数特性調整回路２２１で周波数特性を調整することとした。また、利得調整回路２２２も同様に、音声出力部材１０２がスピーカとして用いる場合とイヤホンとして用いる場合で、それぞれに適した音量の調整を行う。この周波数特性調整回路２２１と利得調整回路２２２の調整により、使用者に最適な音質、音量を提供できる。なお、利得調整回路２２２の挿入位置は、図２に示した位置に限らず、音声データが記憶ないし発生したブロックから音声出力部材１０２までの経路上のいずれか任意の位置に設けられていればよい。
【００１３】
また、図５は音声出力部材の取り付け／取り外し状態を示す説明図である。図５において図１と同一の符号は同一または相当部分を示すので説明は省略する。音声出力部材１０２には磁石５０１が内蔵されている。また、携帯電話機本体１０１側には、磁石５０１が発生する磁界を検出するセンサ５０２が設けられている。センサ５０２が音声出力部材１０２の磁石５０１の発生する磁界を検出すると、図５（ａ）のように、音声出力部材１０２が携帯電話機本体１０１に取り付けられていると判断し、音声出力部材１０２が本体１０１に取り付けられていることを示す信号を制御部２０６に出力する。また、センサ５０２が音声出力部材１０２の磁石５０１の磁界を検出できない場合、図５（ｂ）のように、音声出力部材１０２が携帯電話機本体１０１から取り外されていると判断し、音声出力部材１０２が本体１０１から取り外されていることを示す信号を制御部２０６に出力する。制御部２０６は、センサ５０２から出力された上記信号に基づいて、音声出力部材１０２の音量、周波数特性を調整する。
【００１４】
以下、本発明の実施の形態に係る携帯電話機の動作を図２および図６を参照して説明する。本発明に係る携帯電話機は、音声出力部材１０２が筐体に取り付けられているか、取り外されているか判断する。そして、音声出力部材１０２が筐体に取り付けられている場合には、音声出力部材１０２がスピーカとして使用されるものと判断して、スピーカとしての使用に適した音量、周波数特性の調整を行う。一方、音声出力部材１０２が筐体から取り外されている場合には、音声出力部材１０２がイヤホンとして使用されるものと判断して、イヤホンとしての使用に適した音量、周波数特性の調整を行う。また、本発明に係る携帯電話機は、音声出力部材１０２が出力する音声が通話音声である場合には、音声出力部材１０２の取り付け状態によって、話者音声を取得するマイクを切り替える処理を行う。また、本発明に係る携帯電話機は、音声出力部材１０２が出力する音声が通話音声であるか、あるいは内蔵メロディや楽曲データであるか判断し、この判断結果によって、マイクのオン、オフを切り替える処理を行うものである。
【００１５】
図６は本発明の実施の形態１に係る携帯電話機の動作を示すフローチャートである。図６において、受話音声を音声出力部材１０２を用いて出力する場合について説明する。制御部２０６は、例えば、着信のような発音イベントを検出すると（ステップ６０１）、状態検出装置２０８の出力信号によって音声出力部材１０２が端末に取り付けられているか、あるいは端末から取り外されているかを判断する（ステップ６０２）。そして、音声出力部材１０２が取り付けられている状態であるときには（ステップ６０２でＹｅｓ）、音声出力部材１０２の特性をスピーカとして適した音声出力方式に設定する（ステップ６０３）。そして、着信メロディの再生をスタートさせて（ステップ６０４）、音声出力部材１０２から音声出力させる（ステップ６０５）。逆に、音声出力部材１０２が取り外されている状態であるときには（ステップ６０２でＮｏ）、音声出力部材１０２の特性をイヤホンとして適した音声出力方式に設定する（ステップ６０６）。そして、着信メロディの再生をスタートさせて（ステップ６０７）、音声出力部材１０２から音声出力させる（ステップ６０８）。
【００１６】
着信メロディを出力して、利用者が着信応答することで通話が確立されると、受話音声が音声出力部材１０２から出力される。この受話音声についても着信メロディと同様の処理が施される。すなわち、アンテナ２０１、無線部２０２、ベースバンド部２０９を経てＤ／Ａコンバータ２１４に入力された受話音声は、ディジタル信号からアナログ信号に変換されて、セレクタ２２０に入力される。周波数特性調整回路２２１は、セレクタ２２０から出力されたアナログ音声信号の周波数特性を、状態検出装置２０８の検出した音声出力部材１０２の状態によって調整する。具体的には、音声出力部材１０２が筐体に取付けられている場合、スピーカの機能を実現するための周波数特性の調整を行い、取外されていた場合、イヤホンの機能を実現するための周波数特性調整を行う。その後、上記した状態検出装置２０８の出力に応じた利得を利得調整回路２２２で調整し、増幅回路２２３を介して、音声出力部材１０２から受話音声を出力する。
【００１７】
また、制御部２０６は、音声出力部材１０２から通話音声を出力するときには、音声出力部材１０２が取り付けられているか否かに応じて、話者音声が入力されるマイクを、マイク２１３と音声出力部材１０２に設けられているマイク１０４のうちから選択的に切り替える。制御部２０６は、無線部２０２に着信が発生したこと、あるいは利用者により発呼ボタンが押下されたり、所望の電話番号が選択された後、発呼指示がなされたことを検出すると、音声出力部材１０２が出力する音声が通話音声であると判断する。音声出力部材１０２が筐体に取り付けられている場合、マイク１０４は、収納部１０５に収納された状態であるため利用できない。したがって、制御部２０６は、音声出力部材１０２が端末本体に収納されているときには、携帯電話機本体に内蔵されているマイク２１３が話者音声を取得するマイクとして用いられる。一方、イヤホンとして使用するために、音声出力部材１０２が筐体から取り外されている場合、マイク１０４は音声出力部材１０２とともに筐体から引き出された状態であり、距離的に話者に近いマイクの方が話者音声を取得するのに適している。したがって、制御部２０６は、音声出力部材１０２が端末本体から取り外されている場合には、マイク１０４を話者音声を取得するマイクとして用いる。音声出力部材１０２が筐体に取り付けられている場合、マイク２１３が取得した話者音声はセレクタ２１２、利得調整回路２１１を介して、Ａ／Ｄコンバータ２１０に入力されて、アナログ信号からディジタル信号に変換される。そして、ディジタル信号に変換された話者音声信号はベースバンド部２０９、無線部２０２、アンテナ２０１を介して基地局に送信される。音声出力部材１０２が取り外されている場合には、マイク１０４が話者音声を取得する。
【００１８】
音声出力部材１０２が出力する音声情報は、着信を報知する着信メロディや受話音声に限らず、携帯電話機に内蔵された記憶手段や外付けの外部メモリから読み出した楽曲データも含まれる。以下、内蔵メモリ２０４または外部メモリ２０７に格納された楽曲データを音声出力部材１０２で出力する場合について説明する。使用者の操作などによる楽曲データを出力するイベントが発生すると、制御部２０６は、状態検出装置２０８の出力信号によって音声出力部材１０２の取り付け状態を判断する。そして、内蔵メモリ２０４または外部メモリ２０７に格納されている楽曲データは、制御部２０６によりＤ／Ａコンバータ２２６に入力され、ディジタル信号からアナログ信号に変換され、セレクタ２２０を介し、周波数特性調整回路２２１に入力される。周波数特性調整回路２２１は、音声出力部材１０２が筐体に取り付けられている場合には、スピーカとしての使用に適した音量、周波数特性に調整する。一方、音声出力部材１０２が筐体から取り外されている場合には、イヤホンとしての使用に適した音量、周波数特性に調整する。その後、上記した状態検出装置２０８の出力に応じた利得を利得調整回路２２２で調整し、増幅回路２２３を介して、音声出力部材１０２で楽曲データを出力する。なお、制御部２０６は、音声出力部材１０２から出力する音声が楽曲データであることを、使用者による操作指示から検出し、携帯電話機に内蔵されたマイク２１３、音声出力部材１０２に設けられたマイク１０２をオフにする。
【００１９】
図７は図２に示す携帯電話機の構成を一部改変した変形例を示すブロック図である。図７において図１および図２に示す符号と同一の符号は同一または相当部分を示すので説明は省略する。図２に示す携帯電話機では、周波数特性調整回路２２１はＤ／Ａコンバータ２１９ないしＤ／Ａコンバータ２２６によってデジタル信号から変換されたアナログ信号の周波数特性を調整していた。しかし、図７に示す携帯電話機では、周波数特性調整回路７１６は、Ｄ／Ａコンバータ７１７の前段に設けられており、セレクタ７１５により選択的に出力されたベースバンド部２０９からの信号、音源部２１８からの信号、内蔵メモリ２０４ないし外部メモリ２０７からのデジタル信号に対して、その周波数特性を音声出力部材１０２の取り付け状態に応じて調整する。
【００２０】
また、図１に示す携帯電話機の音声出力部材１０２は、有線で携帯電話機本体と接続され、携帯電話機から電気信号が信号線で伝達されていた。しかし、携帯電話機本体から音声出力部材１０２に無線で電気信号を伝達するように構成してもよい。図８は携帯電話機の外観を示す外観図である。図８において、図１に示す符号と同一の符号は同一または相当部分を示すので説明は省略する。図８に示す音声出力部材８０２は、図１に示す信号線１０３を設けておらず、無線で携帯電話機本体との電気信号の伝達を行う。図１に示す信号線１０３上に設けられていたマイク１０４は、信号線１０３がないため、マイク８０３として音声出力部材８０２に設けられる。
【００２１】
上記説明のように、本願発明に係る携帯電話機は、スピーカとイヤホン双方の機能を実現する音声出力部材が、携帯電話機本体に取り付けられているか否かを判断する。そして、音声出力部材が取り付けられている場合には、音声出力部材がスピーカとして使用されると判断して、音声出力部材に出力される音声信号の音量および周波数特性をスピーカとして適した状態に補正する。したがって、イヤホンを常に携行する必要性がなく、且つ紛失することも無くなるため、イヤホンの利便性を向上させる効果がある。また、音声出力部材１０２をスピーカないしイヤホンのいずれで用いるにせよ、使用者に最適な音を提供するとともに、イヤホン使用時の利便性向上を実現することができるという効果を奏する。
【００２２】
実施の形態２.
図９は、本発明の実施の形態２に係る携帯電話機の外観図である。図９において、図１と同一の符号は同一または相当部分を示すので、説明は省略する。図９（ａ）は携帯電話機を、その長手方向を所定平面に載置して使用する状態を示しており、図９（ｂ）は携帯電話機の長手方向を所定平面に対して立てて使用する状態を示している。上記説明の実施の形態１に係る携帯電話機は、音声出力部材１０２が筐体に取り付けられているときには、スピーカとして機能し、筐体から取り外されているときはイヤホンとして機能していた。以下説明する携帯電話機は、音声出力部材１０２を筐体から取り外した状態でスピーカとして機能させる例に付いて説明する。
【００２３】
図１０は、本発明の実施の形態２に係る携帯電話機の動作を示すフローチャートである。制御部２０６は、例えば、着信のような発音イベントを検出すると（ステップ１００１）、状態検出装置２０８の出力信号によって音声出力部材１０２が端末に取り付けられているか、あるいは取り外されているかを判断する（ステップ１００２）。そして、音声出力部材１０２が取り付けられている状態であるときには（ステップ１００２でＹｅｓ）、音声出力部材１０２の音量、周波数特性を調整し、スピーカとして適した音声出力方式に設定する（ステップ１００３）。そして、着信メロディの再生をスタートさせて（ステップ１００４）、音声出力部材１０２から音声出力させる（ステップ１００５）。一方、音声出力部材１０２が取り外されている状態であるときには（ステップ１００２でＮｏ）、音声出力部材１０２がスピーカとして使用するように設定されているか、あるいはイヤホンとして使用するように設定されているかを判定する（ステップ１００６）。
【００２４】
音声出力部材１０２がスピーカとして使用するように設定されている場合には、音声出力部材１０２の音量、周波数特性を調整し、スピーカとして適した音声出力方式に設定する（ステップ１００７）。そして、着信メロディの再生をスタートさせて（ステップ１００８）、音声出力部材１０２から音声出力させる（ステップ１００９）。ステップ１００６の判定処理において、音声出力部材１０２がイヤホンとして使用するように設定されている場合には（ステップ１００６でＮｏ）、音声出力部材１０２の特性をイヤホンとして適した音声出力方式に設定する（ステップ１０１０）。そして、着信メロディの再生をスタートさせて（ステップ１０１１）、音声出力部材１０２から音声出力させる（ステップ１０１２）。
【００２５】
上記説明のように、本発明の実施の形態２に係る携帯電話機は、音声出力部材が端末本体に取り付けられているかを判断するほか、さらに、音声出力部材が端末本体から外されている場合、実施の形態１で説明した携帯電話機のように、一概にイヤホンとして使用すると決定するのではなく、さらに音声出力部材をスピーカとして使用するか判断する処理を行う。したがって、端末本体から外された音声出力部材をスピーカとして用いるよう、利用者により設定されている場合には、端末本体から外された音声出力部材をスピーカとして使用することが可能である。
【図面の簡単な説明】
【００２６】
【図１】本発明の実施の形態１に係る電子機器の一例である携帯電話機の外観を示す外観図である。
【図２】本発明の実施の形態１に係る携帯電話機の構成を示すブロック図である。
【図３】スピーカ周波数特性の調整例を示す説明図である。
【図４】イヤホン周波数特性の調整例を示す説明図である。
【図５】図５は音声出力部材の取り付け／取り外し状態を示す説明図である。
【図６】本発明の実施の形態１に係る携帯電話機の動作を示すフローチャートである。
【図７】図２に示す携帯電話機の構成を一部改変した変形例を示すブロック図である。
【図８】携帯電話機の外観を示す外観図である。
【図９】本発明の実施の形態２に係る携帯電話機の外観図である。
【図１０】本発明の実施の形態２に係る携帯電話機の動作を示すフローチャートである。
【符号の説明】
【００２７】
１０１  携帯電話機本体、１０２  音声出力部材、１０３  信号線、１０４  マイク、
１０５  収納部、２０１  アンテナ、２０２  無線部、２０３  キー、
２０４内蔵メモリ、２０５  画面、２０６  制御部、２０７  外部メモリ、
２０８  状態検出装置、２０９  ベースバンド部、２１０  Ａ／Ｄコンバータ、
２１１  利得調整回路、２１２  セレクタ、２１３  内蔵マイク、
２１４  Ｄ／Ａコンバータ、２１５  セレクタ、２１６  利得調整回路、
２１７  内蔵スピーカ、２１８  音源部、２１９  Ｄ／Ａコンバータ、
２２０  セレクタ、２２１  周波数特性調整回路、２２２  利得調整回路、
２２３  増幅回路、２２６  Ｄ／Ａコンバータ、５０１  磁石、５０２  センサ、
７１５  セレクタ、７１６  周波数特性調整回路、７１７  Ｄ／Ａコンバータ、
８０２  音声出力部材、８０３  マイク
【図１】
2005318267.tif 000003
【図２】
2005318267.tif 000004
【図３】
2005318267.tif 000005
【図４】
2005318267.tif 000006
【図５】
2005318267.tif 000007
【図６】
2005318267.tif 000008
【図７】
2005318267.tif 000009
【図８】
2005318267.tif 000010
【図９】
2005318267.tif 000011
【図１０】
2005318267.tif 000012